(57)【特許請求の範囲】
【請求項１】
エンジンを備える車両を遠隔停止するための車両停止装置であって、
最大出力が1MWを超える高周波信号を生成するように構成された、マグネトロンである高周波エネルギ源と、
エフェクト信号パッケージを適用することで前記高周波信号を変調するモジュレータを備え、前記エフェクト信号パッケージが複数の個別の異なるエフェクト信号よりなり、各エフェクト信号がパルス列を備え、前記エフェクト信号パッケージが車両に非固有であり、更に、
前記エフェクト信号パッケージによる変調信号を遠隔車両に送信し、当該車両のエンジン管理システムに作用させて該エンジンを停止させるためのアンテナを備えており、
前記エフェクト信号パッケージによる変調信号が、高周波エネルギの単発バーストとして送信される、自動車停止装置。
【請求項２】
請求項１に記載の装置であって、前記エフェクト信号パッケージが一連のエフェクト信号を備え、各エフェクト信号の各パルス列が、それぞれ異なるパルス幅、異なるパルス反復周波数及び異なるパルスグループの少なくとも１つを有する、装置。
【請求項３】
請求項１または２に記載の装置であって、前記アンテナが、垂直方向に電界分極する変調信号を生成する、装置。
【請求項４】
請求項１または２に記載の装置であって、前記アンテナが、水平方向に電界分極する変調信号を生成する、装置。
【請求項５】
請求項１〜４のいずれか一項に記載の装置であって、前記高周波信号の最大出力が1MW〜5MWの範囲内にある、装置。
【請求項６】
請求項１〜５のいずれか一項に記載の装置であって、前記高周波エネルギ源の周波数が1〜2GHz又は2〜4GHZのいずれかである、装置。
【請求項７】
請求項１〜６のいずれか一項に記載の装置であって、作動時における実際の周波数が3MHz以下の帯域幅を有する、装置。
【請求項８】
請求項１〜７のいずれか一項に記載の装置であって、前記エフェクト信号のパルス列が、100ナノ秒〜10ナノ秒の範囲内のパルス幅、50Hz〜2kHzの範囲内のパルス反復周波数、又は１つのグループが1〜20個のパルスで構成されるパルスグループの少なくとも１つを有する、装置。 
【請求項９】
請求項１〜８のいずれか一項に記載の装置であって、前記エフェクト信号パッケージが、最大で数十個のエフェクト信号を備える、装置。
【請求項１０】
請求項９に記載の装置であって、前記エフェクト信号パッケージが、最大で５個のエフェクト信号を備える、装置。
【請求項１１】
請求項１〜10のいずれか一項に記載の装置であって、前記モジュレータに対して制御信号を送信すると共に、オペレータインターフェースからの信号を受信する制御ユニットを備える、装置。
【請求項１２】
請求項１〜11のいずれか一項に記載の装置であって、前記エフェクト信号パッケージに関する情報を記憶する記憶手段と、該記憶手段に記憶させるべき、アップデートされたエフェクト信号パッケージ情報またはアップデートされたエフェクト信号情報を受信するインプットとを備える、装置。
【請求項１３】
請求項１〜12のいずれか一項に記載の装置であって、１セットのエフェクト信号パッケージと、該セットから得られる複数のエフェクト信号パッケージとから、使用のための１つのエフェクト信号パッケージを選択するセレクタとを備える、装置。
【請求項１４】
請求項１〜13のいずれか一項に記載の装置であって、前記エネルギ源の周波数を既定の周波数帯域内から使用者が選択可能である、装置。
【請求項１５】
請求項１〜14のいずれか一項に記載の装置であって、前記エフェクト信号が、前記エフェクト信号パッケージにおける既定配列、ランダム配列及び疑似ランダム配列のいずれか１つを有する、装置。
【請求項１６】
請求項１〜15のいずれか一項に記載の装置であって、前記エフェクト信号パッケージにおいて、各エフェクト信号が一反復する、装置。
【請求項１７】
請求項１〜15のいずれか一項に記載の装置であって、前記エフェクト信号パッケージ内で、少なくとも１つのエフェクト信号が繰り返される、装置。
【請求項１８】
請求項17に記載の装置であって、前記エフェクト信号が、同一配列、異なる既定配列、ランダム配列及び疑似ランダム配列のいずれか１つの配列にて繰り返される、装置。
【請求項１９】
請求項１〜18のいずれか一項に記載の装置であって、前記エフェクト信号パッケージによる変調信号が、高周波エネルギ源の単発バーストにより変調され、該変調が繰り返し可能である、装置。
【請求項２０】
請求項１〜19のいずれか一項に記載の装置であって、車両への備え付け又は持ち込みが可能である、装置。
【請求項２１】
エンジンを備える車両を遠隔停止させるための方法であって、
マグネトロンである高周波エネルギ源から、最大出力が1MWを超える高周波信号を生成するステップと、
各々がパルス列を備える複数の個別の異なるエフェクト信号で構成された、車両に非固有のエフェクト信号パッケージを適用して前記高周信号を変調するステップと、
エフェクト信号パッケージによる変調信号を遠隔車両に送信し、当該車両のエンジン管理システムに作用させて該エンジンを停止させるステップと、
を備えており、
前記エフェクト信号パッケージによる変調信号を、高周波エネルギの単発バーストとして送信する、方法。
【請求項２２】
請求項21に記載の方法であって、前記エフェクト信号パッケージが、一連のエフェクト信号を備え、各エフェクト信号の各パルス列が、それぞれ異なるパルス幅、及び／又は、異なるパルス反復周波数、及び／又は、異なるパルスグループを有する、方法。
【請求項２３】
請求項21または22に記載の方法であって、前記アンテナを、垂直方向に電界分極する変調信号を生成するよう構成する、方法。
【請求項２４】
請求項21〜23のいずれか一項に記載の方法であって、前記高周波信号の最大出力を、1MWから5MWの範囲内とする、方法。
【請求項２５】
請求項21〜24のいずれか一項に記載の方法であって、前記高周波エネルギ源の周波数を、1〜2GHz又は2〜4GHZのいずれかとする、方法。
【請求項２６】
請求項21〜25のいずれか一項に記載の方法であって、前記エフェクト信号パッケージに関する情報を記憶する記憶手段を使用し、アップデートされたエフェクト信号パッケージ情報又はアップデートされたエフェクト信号情報を受信し、そのアップデートされたエフェクト信号パッケージ又はアップデートされたエフェクト信号を前記記憶手段に記憶する、方法。
【請求項２７】
請求項21〜26のいずれか一項に記載の方法であって、１セットのエフェクト信号パッケージと、該セットから得られる複数のエフェクト信号パッケージとから、使用のための１つのエフェクト信号パッケージを選択するセレクタを使用する、方法。 
【請求項２８】
請求項21〜27のいずれか一項に記載の方法であって、前記エネルギ源の周波数を既定した周波数帯域内から使用者により選択可能とする、方法。
【請求項２９】
請求項21〜28のいずれか一項に記載の方法であって、前記エフェクト信号が、前記エフェクト信号パッケージにおける、既定配列、ランダム配列及び疑似ランダム配列のいずれか１つを有する、方法。
【請求項３０】
請求項21〜29のいずれか一項に記載の方法であって、前記エフェクト信号パッケージにおいて、各エフェクト信号を一反復させる、方法。
【請求項３１】
請求項21〜29のいずれか一項に記載の方法であって、前記エフェクト信号パッケージ内で、少なくとも１つのエフェクト信号を繰り返す、方法。
【請求項３２】
請求項31に記載の方法であって、前記エフェクト信号を、同一配列、異なる既定の配列、ランダム配列及び疑似ランダム配列のいずれか１つの配列にて繰り返す、方法。
【請求項３３】
請求項21〜32のいずれか一項に記載の方法であって、前記エフェクト信号パッケージによる変調信号を、高周波エネルギ源の単発バーストで送信し、この変調を繰り返す、方法。
【請求項３４】
請求項21〜33のいずれか一項に記載の方法であって、請求項１〜20のいずれか一項に記載の装置を車両に持ち込むことを含む、方法。
【発明の詳細な説明】
【技術分野】
【０００１】
本発明は、車両を遠隔停止させるための装置及び方法に関する。
【背景技術】
【０００２】
法執行目的及び安全確保の、車両を停止可能とすることへの需要がある。これは、致命的な事故に到りかねない方法でしか達成することができず、望ましい結果をもたらすものではなく、第三者や警察官に危害を与え、巻き添え事故を生じさせかねない。
【０００３】
致命的な事故を生じさせずに車両を停止させる方法の１つとして、ターゲット車両のタイヤを損傷させるための機械的手段を配置することが挙げられるが、これは搭乗者に危害を与えかねない上に配置も困難である。
【０００４】
車両を停止させる別の方法として、高出力広帯域マイクロ波又はＶＨＦ源を使用して、ターゲット車両に電磁パルスを送信することが挙げられるが、信号が広帯域であるために指向性が低く、車両への損傷、搭乗者及び第三者に危害を与えかねない。また、例えば、ペースメーカーを装着している人は、特に被害を受けやすい。
【発明の概要】
【０００５】
第１態様において、本発明は、エンジンを備える車両を遠隔停止するための車両停止装置であって、高周波信号を生成するための高周波エネルギ源と、エフェクト信号パッケージを適用することで高周波信号を変調するモジュレータとを備え、エフェクト信号パッケージが複数の個別のエフェクト信号よりなり、各エフェクト信号がパルス列を備え、エフェクト信号パッケージが車両に非固有であり、更に、遠隔車両のエンジンを停止させるためにエフェクト信号パッケージによる変調信号を遠隔車両に送信し、当該車両のエンジン管理システムに作用させて該エンジンを停止させるためのアンテナを備える自動車停止装置を提供する。
【０００６】
近年の車両エンジンは、センサやコンピュータシステムなどの電子部品により制御されている。エフェクト信号パッケージによる変調信号は、ガソリンの供給機能及び／又は供給のタイミングなどエンジン管理システムの作動を中断させることで、エンジンを停止させ、あるいは、エンジンの作動力を低下させる。エフェクト信号パッケージは、複数の個別エフェクト信号よりなり、ターゲット車両毎に異なる効果を発揮する多様なエフェクト信号を送信するため、特定の車種や車両モデルに限定されない。従って、エフェクト信号パッケージは、多様な車種のエンジンシステムに対応可能であり、ターゲットとする車種又は車両モデルに関する情報を予め取得することなしにターゲット車両を停止させることができる。車両停止装置、特定のパルス波形を選択するオペレータ、又は車両の属性に対応する他の放射特性を要しないことから、迅速な起動が可能となる。本発明において、車両の誤認は問題とならない。距離、速度、環境又はその他の要因によりターゲット車両を特定できない場合においても車両停止装置を用いることができる。 
【０００７】
本発明に係る装置は、警察官や保安官などのオペレータが疑義のある車両を一時停止及び／又は停止させるために用いることができる。また、チェックポイント制御、高価な資産の防護、及び船舶の行為に対する海事沿岸警備のために用いることができる。
【０００８】
エフェクト信号パッケージは、多数のエフェクト信号を備えることができるが、５個以上でその機能を発揮することが可能となり、最大で数十個のエフェクト信号を備えることができる。ターゲット対象へ作用する時間は、いくつかの条件と相関する。典型的な例として、より多数のエフェクト信号を用いることで、それらの長時間に亘る使用が可能となる。
【０００９】
本発明の一実施形態において、エフェクト信号パッケージは、一連のエフェクト信号を備え、各エフェクト信号の各パルス列が、それぞれ異なるパルス幅、及び／又は異なるパルス反復周波数、及び／又は異なるパルスグループを有する。エフェクト信号は、エフェクト信号パッケージにおける既定配列、ランダム配列又は疑似ランダム配列であってもよい。別の一実施形態では、エフェクト信号パッケージにおいて、各エフェクト信号が一反復する構成としてもよい。
【００１０】
一実施形態において、パルス幅を100ナノ秒〜10マイクロ秒の範囲内とすることができるが、この範囲外のパルス幅を用いてもよい。別の一実施形態においては、パルス幅を0.5マイクロ秒〜２マイクロ秒の範囲内とすることもできる。
【００１１】
一実施形態において、パルス反復周波数（ＰＲＦ）は、数十Hz〜数kHzとすることでき、例えば、50Hz〜２kHzの範囲内とすることができる。別の一実施形態においては、他の周波数範囲としてもよい。
【００１２】
一実施形態において、少なくとも１つのエフェクト信号は、1〜20パルスのグループに振り分けられたパルスを備える。それぞれのグループに20パルスが振り分けられた場合、それぞれが0.5マイクロ秒のパルス幅を有する20パルスは、10マイクロ秒の総合持続時間を有する。他の実施形態においては、20パルスを超えるパルスを使用してもよい。パルスグループの周波数は、例えば、50kHz〜1MHzの範囲内であってもよい。
【００１３】
一実施形態において、エフェクト信号パッケージ内で、少なくとも１つのエフェクト信号が繰り返される構成としてもよい。エフェクト信号は、同一配列、異なる既定配列、ランダム配列、又は疑似ランダム配列の配列にて繰り返される構成としてもよい。
【００１４】
一実施形態において、エフェクト信号パッケージの変調信号は、高周波エネルギ源の単発バーストにより変調される。一実施形態において、この変調は繰り返し可能である。
【００１５】
一実施形態において、アンテナは、垂直方向に電界分極する変調信号を生成する。これは、このような構成が特に効果的であることが判明したからである。ただし、別の実施形態において、垂直方向又は環状方向に分極する構成とすることもできる。
【００１６】
一実施形態において、高周波数信号の最大出力が、1MWを超える構成とすることができる。別の実施形態においては、高周波エネルギ源の最大出力が、10MWを超える構成とすることができる。一実施形態において、高周波数信号の最大出力が、1MW〜5MWの範囲内にある構成とすることができる。これにより搭乗者又は第三者に危害を与え、車両に重大な損傷を与えることなくターゲット車両を停止させることができる。
【００１７】
一実施形態において、高周波エネルギ源の周波数が、1〜2GHz又は2〜4GHZのいずれかである構成とすることができる。作動時における実際の周波数が、典型的には3MHz以下の狭いバンド幅を有する構成とすることができる。非常に狭く、かつ制御された単発の周波システムを用いることで、無線周波数より生じる「ノイズ」をほぼ完全に除去することができ、他のシステムからの干渉を最小限にすることができる。
【００１８】
一実施形態において、高周波エネルギ源がマグネトロンである構成とすることもできる。別の実施形態においては、高周波エネルギ源は、クライストロン、マイクロ波放射の固体状の放射源、又は他のデバイスであってもよい。
【００１９】
本発明に係る装置は、モジュレータに制御信号を送信することができ、オペレータインターフェースからの信号を受信する制御ユニットを備えてもよい。別の一実施形態においては、必ずしもオペレータインターフェースを要さない。例えば、料金所やチェックポイントなど自動化された機器と車両停止装置が協働する場合には、オペレータインターフェースは不要である。
【００２０】
車両停止装置は、エフェクト信号パッケージに関する情報を記憶する記憶手段と、その記憶手段に記憶させるべき、アップデートされたエフェクト信号パッケージ情報及びアップデートされたエフェクト信号情報を受信するインプットを備える構成としてもよい。アップデートされたエフェクト信号を受信するインプットは、例えば、ダウンロード又は携帯する記憶媒体として持ち運ぶことができるような構成とすることもできる。このため、個別のエフェクト信号及び／又はアップデートされた信号パッケージが改善し、新たに規定された場合、それらを記憶手段に追加することもできる。これにより、将来も継続的に装置を使用し、車両エンジン管理システムの変化及び改良に伴い装置をアップデートすることが可能となる。
【００２１】
車両停止装置は、１セットのエフェクト信号パッケージを備えてもよい。セレクタは、そのセットから得られる複数のエフェクト信号パッケージの内１つのエフェクト信号パッケージを選択する。この操作は、自動的又はオペレータにより行うことができる。
【００２２】
一実施形態において、エネルギ源の周波数を、既定の周波数帯域内から使用者が選択することができる。これは、特定の領域内で使用する装置を構成する場合に有用である。例えば、局所的範囲内における管理システムの要件及び相互利用する際の問題を最小限とすることを考慮する場合に有用である。
【００２３】
一実施形態において、装置は、車両への備え付けてもよいし、持ち込むことも可能である。本発明を用いることで、コンパクトな構成を達成することができる。例えば、マグネトロン及びアンテナが、その効果を保ちながら、比較的低いパワーレベルの出力パルスを生成するよう厳密に規定することも可能である。これにより個別の構成要素を他の構成よりも嵩張らない構成とすることができる。
【００２４】
第２態様において、本発明は、エンジンを備える車両を遠隔停止させるための方法であって、高周波エネルギ源から高周波信号を生成するステップと、各々がパルス列を備える複数の個別エフェクト信号で構成された、車両に非固有のエフェクト信号パッケージを適用して高周波信号を変換するステップと、エフェクト信号パッケージによる変調信号を遠隔車両に送信し、当該車両のエンジン管理システムに作用させて該エンジンを停止させるステップと、を備える方法を提供する。
【図面の簡単な説明】
【００２５】
本発明の特定の実施形態を実施例のみによって、添付の図面を参照しながら以下に述べる。
【図１】図１は、本発明に係る車両停止装置の概略図である。
【図２】図２（ａ）〜（ｄ）は、図１に示す車両停止装置にて用いるエフェクト信号パッケージが有する異なるエフェクト信号の概略図である。
【図３】図３は、本発明に係る別の車両停止装置の概略図であり、図１と同一の部品には同一の参照番号が付されている。
【図４】図４は、図１又は図３に示す装置の作動時における概略図である。
【発明を実施するための形態】
【００２６】
図１に示すように、車両停止装置は、高電圧電源13から直流入力を受信し、それをパルス列出力へと変換するモジュレータ１を備える。モジュレータ出力をマグネトロン４に適用する。マグネトロン４は、本発明を作動させる際に必須となる磁場を提供するために磁石５を備える。当該装置において、マグネトロンの動作周波数は3GHzであり、その帯域幅は狭い。マグネトロンの出力パワーは、5MWである。マグネトロン４は、適用された電気入力をＲＦ出力パルスへと変換し、続いて、そのパルスをアンテナへと送信する。アンテナ６は、ターゲット車両に向けて送信可能な細い光線を生成する。アンテナ６が垂直方向に電界分極する変調信号を生成するよう構成する。
【００２７】
モジュレータ１は、エフェクト信号パッケージを構成する一連のエフェクト信号を生成する。本実施形態において、各エフェクト信号は、他のエフェクト信号とは異なるパルス幅、パルス反復周波数及びパルスグループの組み合わせを有する。本実施形態において、エフェクト信号パッケージは、５個のエフェクト信号を備えるが、他の実施形態においては、異なる数のエフェクト信号を備えることもできる。 
【００２８】
一連のエフェクト信号は直列的に結合させることができる。例えば、エフェクト信号パッケージは、複数の段階にあるエフェクト信号を備えていてもよい。マグネトロン出力にてエフェクト信号パッケージを変調し、ＲＦエネルギの単発バーストにて単一のエフェクト信号パッケージを送信する。他の実施形態においては、ＲＦエネルギの単発バーストにて多様な段階にあるエフェクト信号パッケージを変調する。 
【００２９】
エフェクト信号は、エフェクト信号パッケージを構成するよう他の方法によって、結合させてもよい。例えば、各エフェクト信号を、それぞれ異なるパルス幅を有する単一パルスで構成し、マグネトロン出力を変調するエフェクト信号パッケージを提供することができる。別のエフェクト信号パッケージにおいては、各エフェクト信号を、他のエフェクト信号とは異なるパルス幅及びパルス反復周波数の組み合わせを有する一連のパルスにより構成する。一連のエフェクト信号は直列的に結合させることができ、エフェクト信号パッケージが同一段階のエフェクト信号のみを有する場合に、一度だけ繰り返すことができる。別のエフェクト信号パッケージにおいては、複数段階のエフェクト信号を備えることもできる。 
【００３０】
図２（ａ）〜２（ｄ）は、異なるエフェクト信号を示す。図２（ａ）において、エフェクト信号は、１マイクロ秒のパルス幅及び500HzのＰＲＦを有する一連のパルスを備える。図２（ｂ）において、エフェクト信号は、1〜5マイクロ秒の範囲内の可変パルス幅及び500HzのＰＲＦを有する一連のパルスを備える。図２（ｃ）において、エフェクト信号は、１マイクロ秒のパルス幅及び400kHzのバースト周波数を有する一連のパルスを備える。この場合、各バーストのグループは３個のパルスを備え、反復周波数は300Hzである。図２（ｄ）において、エフェクト信号は、１〜５マイクロ秒の可変パルス幅及び80〜400kHzの可変グループバースト周波数を有する一連のパルスを備える。この場合、各バーストのグループは３個のパルスを備え、反復周波数は50〜300Hzである。
【００３１】
モジュレータ１は、制御ユニット２からインプットを受信する。制御ユニット２は、予めプログラム可能なシステムであるパルス発生器７から適切な波形のパルスを受信することができる。制御ユニット２は、作動命令と作動中のシステムとの間のインターフェースを提供する。モジュレータ１は、バックグラウンド及びシステム性能を監視する。 
【００３２】
オペレータインターフェース８は、遠隔制御ユニットインターフェース９及びコンピュータインターフェース10を備える。遠隔制御ユニットインターフェース９は、スイッチとランプを備える単純な電気機械的インターフェースである。コンピュータインターフェース10は、オペレータが使用するためのグラフィカルユーザインターフェース（ＧＵＩ）を備える。本実施形態におけるインターフェースは、所望の状況に応じて、遠隔操作することができ、あるいは現地にいるオペレータにより直接制御することができる。
【００３３】
他の実施形態においては、オペレータインターフェース８が不要であり、又は省略できることもある。例えば、制御ユニット２と直接インターフェース可能な自動認証システムにより車両停止装置を自動制御する場合には、オペレータインターフェース８を除外してもよい。 
【００３４】
車両停止装置は、原動機動力を受信する無停電電源（ＵＰＳ）11を備える。ＵＰＳは、装置を備え付けた車両のオルタネータから主電力を供給する。ＵＰＳにより主電力を、車両停止装置に必要な三相交流へと変換することができる。三相交流を電源又は発電機から取得できる場合には、ＵＰＳによる変換をバイパスすることができる。本発明に係る車両停止装置において、ＵＰＳは、必ずしも必須の構成要素ではなく、他の実施形態においても不要である場合がある。 
【００３５】
一連の回路遮断器及びヒューズを用いる過電流システムからシステムを保護するスイッチ及び回路保護素子ユニット12に対して、ＵＰＳ11の出力を適用する。安全回路をスイッチ及び回路保護素子ユニット12に配線する。三相交流を、高電圧電源13に適用する。高電圧電源13は、三相交流を安定した高電圧の直流に変換し、それをモジュレータ１及び制御ユニット２に適用する。三相交流を制御ユニット２及び冷却ユニット14に直接供給することもできる。冷却ユニット14は、高電圧電源13、モジュレータ１及びマグネトロン４のシステム内で生じる熱損失を制御する。
【００３６】
図１に示す車両停止装置において、マグネトロン４の動作周波数は、スペクトル使用に関する現地の法規に適合するよう既定の周波数帯域内で変動させることができる。これは、オペレータにより行うこともできるし、現地展開前に設定することもできる。
【００３７】
他の車両停止装置において、パルス幅を100ナノ秒〜10マイクロ秒の範囲内とすることができる。一実施形態においては、0.5ナノ秒〜2マイクロ秒の範囲内のパルス幅を適用した。パルス反復周波数（ＰＲＦ）は、数十Hz〜数kHzとすることでき、例えば、50Hz〜2kHzの範囲内とすることができる。
【００３８】
他の実施形態において、いくつかのエフェクト信号は、1〜20パルスのグループに振り分けられたパルスを備えていてもよい。各グループにそれぞれが0.5マイクロ秒のパルス幅を有する20パルスが振り分けられた場合、各グループは、10マイクロ秒の総合持続時間を有する。他の実施形態においては、20パルスを超えるパルスを使用してもよい。 
【００３９】
図３は、図１に示す車両停止装置と同様の構成を有する別の車両停止装置を示す。この場合、マグネトロン４は、1.5GHzにて作動する。
【００４０】
図３のシステムにおいては、システムパルス生成機７をエフェクト信号パッケージに関する情報を記憶する記憶手段15に接続することができ、その記憶手段に記憶させるべき、アップデートされたエフェクト信号パッケージ情報又はアップデートされたエフェクト信号情報を受信するインプット16を備えることができる。アップデートが必要な場合、システムパルス生成機７は、記憶手段15の情報にアクセスする。別の構成においては、アップデート情報を、直接システムパルス生成機７に適用することもできる。
【００４１】
車両停止装置は、セレクタ18を備える。セレクタ18は、記憶手段16から得られる複数のエフェクト信号パッケージの内１つのエフェクト信号パッケージを選択する。ある構成においては、オペレータインターフェース８によりセレクタ1８を制御する構成とすることもできる。各エフェクト信号は、車両に非固有であるが、２つ以上のエフェクト信号を有することは、いくつかの状況下にて有用となろう。
【００４２】
図４においては、図１又は図３にて図示した車両停止装置19を車両20に取り付けている。停止させるべきターゲット車両21が接近すると、オペレータは、オペレータインターフェース8を用いて装置を起動させ、ターゲット車両に向けてエフェクト信号パッケージの変調出力パルスを送信する。エフェクト信号の変調を送信することで、ターゲット車両のエンジン管理システムに作用させ、エンジンの働きを低下させ、その後車両を停止させる。このため、車両を安全に停止させることができる。オペレータは、車両停止装置19を引き続き操作することができるため、ターゲット車両の運転手が再度エンジンを始動させることを防止することができる。
【００４３】
本発明に係る車両停止装置を用いた検証試験を行った。この試験は、１４社の異なるメーカーで製造された２３車種の車両をサンプルとして用いた。その結果、本発明に係る装置は、約８０％の潜在成功率でターゲット車両のエンジン管理システムに遠隔介入し停車させることができ、ターゲット車両を停止させるために致命的な事故を引き起こしかねない従来の方法への実施可能な代替手段となり得ることが分かった。当該装置は、狭帯域のマイクロ波を用いるため、ターゲット車両のみに作用させることが可能であり、他の車両、無関係な第３者又は警察官が被りかねない二次的な被害を最小限に抑えることができる。
【００４４】
車両停止装置を適用し得る他の例として、資産を保護するための車両停止装置が挙げられる。例えば、車両にチェックポイントを通過させることもできる。警告にも関わらず、車両が停止しない場合、停止装置を起動させることができる。他の使用例として、資産を携行又は護送する際に用いることが挙げられる。疑義のある車両が車列に接近してきた場合、車両停止装置を起動させることで、接近する車と保護対象との間に安全な距離を保つことが可能となる。
【００４５】
特に他の船舶や沿岸の安全を脅かしかねない、船外機として大きなエンジンを備えるスピードボートなどの船舶を遠隔停止させるために当該車両停止装置を用いることができる。
【００４６】
本発明に係る車両停止装置は、一連の高周波パルスを生成する電磁システムである。遠隔地からターゲット車両に向けて一連の高周波パルスを車両の電気制御システムに送信することで、エンジン管理に支障を生させ、最終的には、車両を停止させることができる。当該装置は、良好な成功率、高い安全性及び雑誌大の大きさを有する。装置の大きさは、潜在的には構成によって異なり、一定の大きさに限定されない。
【００４７】
多様な構成要素の機能を添付の図面に示す。図中、機能ブロックを「ユニット」と称し、これらはハードウェアを用いる。ハードウェアには、適切なソフトウェアと連動してソフトウェアを実行することができるハードウェアが含まれる。ユニット及び他の構成要素は、以下に限定されないが、デジタル信号処理（ＤＳＰ）ハードウェア、ネットワーク処理、特定用途向け集積回路（ＡＳＩＣ）、フィールド・プログラマブル・ゲート・アレイ（ＦＰＧＡ）、ソフトウェアを記憶するリード・オンリー・メモリ（ＲＯＭ）、ランダム・アクセス・メモリーズ（ＲＡＭ）及び不揮発性記憶手段を適切に備えることができる。通常の、及び／又は慣用的な他のハードウェアを備えることもできる。
【００４８】
本発明は、発明の趣旨又は主たる特性の範囲から逸脱することなく、他の特定の構成とすることができる。上述の実施形態は、例示に過ぎず、これらに限定されるものではない。本発明の技術的範囲は、上述の記載によってではなく、添付の特許請求の範囲に基づいて定められる。特許請求の範囲内での変更、特許請求範囲と均等な範囲は、特許請求の範囲内に包含されるものと理解されたい。
【図１】
0006674900.tif 000002
【図２】
0006674900.tif 000003
【図３】
0006674900.tif 000004
【図４】
0006674900.tif 000005